(57)【特許請求の範囲】
【請求項１】
被写体の観察画像を画像信号として出力する撮像部と、
前記画像信号に対して画像変換処理を施さずに第１の信号として出力するスルー回路と、
前記画像信号に対して所定の画像変換処理を施して第２の信号として出力する画像変換処理回路と、
前記画像信号のフレーム数またはフィールド数をカウントするカウンタ回路と、
前記スルー回路から出力される前記第１の信号と前記画像変換処理回路から出力される前記第２の信号とを前記カウンタ回路においてカウントされるカウント数に応じて選択的に出力する選択出力回路と、
を具備し、
前記画像変換処理回路は、前記所定の画像変換処理として、メディアン処理、平均値処理、エッジ強調処理、カラーマトリックス変換処理または特定パターン強調処理のいずれかの画像処理を行う
ことを特徴とする撮像システム。
【請求項２】
前記第１の信号と前記第２の信号との選択的出力の割合を指示する選択指示部をさらに備え、
前記選択出力回路は、前記選択指示部の指示に基づいて、前記第１の信号と前記第２の信号との選択的出力の割合を調整して出力する
ことを特徴とする請求項１に記載の撮像システム。
【請求項３】
前記第１の信号と前記第２の信号との選択的出力の割合の情報を記憶する記憶部をさらに備え、
前記選択出力回路は、前記記憶部に記憶された選択的出力の割合の情報に基づいて、前記第１の信号と前記第２の信号との選択的出力の割合を調整して出力する
ことを特徴とする請求項１に記載の撮像システム。
【請求項４】
前記記憶部を有する内視鏡をさらに備えることを特徴とする請求項３に記載の撮像システム。
【請求項５】
前記撮像部を備える内視鏡を着脱自在に接続可能とし、前記撮像部から出力される前記画像信号に対して所定の処理施す処理回路と、前記記憶部と、を有するプロセッサを備え、
前記記憶部に記憶される、前記第１の信号と前記第２の信号との選択的出力の割合の情報は、前記プロセッサに接続される前記内視鏡の種別に応じた情報である
ことを特徴とする請求項３に記載の撮像システム。
【請求項６】
前記画像変換処理回路は、前記画像変換処理の内容を変更可能であることを特徴とする請求項１に記載の撮像システム。
【請求項７】
前記画像変換処理の内容の情報を記憶する処理内容記憶部をさらに備え、
前記画像変換処理回路は、前記処理内容記憶部に記憶された処理内容の情報に基づいて前記画像信号に対して前記所定の画像変換処理を施す
ことを特徴とする請求項６に記載の撮像システム。
【請求項８】
前記処理内容記憶部を有する内視鏡をさらに備えることを特徴とする請求項７に記載の撮像システム。
【請求項９】
前記撮像部を備える内視鏡を着脱自在に接続可能とし、前記撮像部から出力される前記画像信号に対して所定の処理施す処理回路と、前記処理内容記憶部と、を有するプロセッサを備え、
前記処理内容記憶部に記憶される、前記処理内容の情報は、前記プロセッサに接続される前記内視鏡の種別に応じた情報である
ことを特徴とする請求項７に記載の撮像システム。
【請求項１０】
前記撮像部、前記スルー回路、前記画像変換処理回路、前記カウンタ回路および前記選択出力回路を備える内視鏡と、
前記内視鏡を着脱自在に接続可能とし、前記撮像部から出力される前記画像信号に対して所定の処理施す処理回路と、前記カウンタ回路に対して所定のクロック情報を提供するクロック生成部と、を有するプロセッサと、
を備え、
前記カウンタ回路は、前記クロック生成部からの前記クロック情報に応じて前記画像信号のフレーム数またはフィールド数をカウントし、
前記内視鏡は、さらに、前記カウンタ回路における前記カウント数に応じて前記選択出力回路において選択的に出力される前記第１の信号と前記第２の信号との選択的割合を制御する制御部を有する
ことを特徴とする請求項１に記載の撮像システム。
【発明の詳細な説明】
【技術分野】
【０００１】
本発明は、撮像システム、例えば、被写体の観察画像を画像信号として出力可能な撮像部を有する撮像システムに関する。
【背景技術】
【０００２】
従来、医療用分野及び工業用分野においては、被検体を観察する撮像部を備えた内視鏡が広く用いられている。また、内視鏡に着脱自在に接続され、内視鏡に係る各種信号処理をビデオプロセッサと称する信号処理装置により担い、内視鏡システムを構成する技術も知られるところにある。
【０００３】
上述した如き内視鏡システムにおけるビデオプロセッサは、内視鏡から出力される画像信号を入力し、当該画像信号に所定の画像処理を施す処理回路を備える。この画像処理としては、たとえば、エッジ強調処理またはメディアン（中央値）フィルタ処理もしくは平均値フィルタ処理によるノイズ補正処理等が挙げられる（特許文献１）。
【先行技術文献】
【特許文献】
【０００４】
【特許文献１】特開２０１３−２５５８０８号公報
【発明の概要】
【発明が解決しようとする課題】
【０００５】
ところで、従来の内視鏡システムにおいては、上述の如きノイズ補正処理等の画像処理は、通常、動画像中の１枚１枚の画像毎に画像処理（画像変換処理）を行うようになっている。
【０００６】
しかしながら、このような従来の画像変換処理は、１枚の画像全体の各画素に対して同じ画像変換処理を施すことにより当該画像変換処理固有の効果を奏する一方で、この得られる効果とトレードオフの関係となる弊害を生じる場合もある。
【０００７】
すなわち、たとえば、ノイズ補正のため１枚の画像全体の各画素にメディアンフィルタ処理または平均値フィルタ処理を施すと、画像信号のノイズを軽減することができる一方で、解像度を犠牲にすることにもなり、これらはトレードオフの関係にあるといえる。
【０００８】
本発明は、上述した課題に鑑みてなされたものであって、取得した画像信号に対して違和感なく画像変換処理の効果を享受することができる撮像システムを提供することを目的とする。
【課題を解決するための手段】
【０００９】
本発明の一態様の撮像システムは、被写体の観察画像を画像信号として出力する撮像部と、前記画像信号に対して画像変換処理を施さずに第１の信号として出力するスルー回路と、前記画像信号に対して所定の画像変換処理を施して第２の信号として出力する画像変換処理回路と、前記画像信号のフレーム数またはフィールド数をカウントするカウンタ回路と、前記スルー回路から出力される前記第１の信号と前記画像変換処理回路から出力される前記第２の信号とを前記カウンタ回路においてカウントされるカウント数に応じて選択的に出力する選択出力回路と、を具備し、前記画像変換処理回路は、前記所定の画像変換処理として、メディアン処理、平均値処理、エッジ強調処理、カラーマトリックス変換処理または特定パターン強調処理のいずれかの画像処理を行う。
【発明の効果】
【００１０】
本発明によれば、取得した画像信号に対して違和感なく画像変換処理の効果を享受することができる撮像システムを提供することを目的とする。
【図面の簡単な説明】
【００１１】
【図１】図１は、本発明の第１の実施の形態にかかる内視鏡システムの概略構成を示す斜視図である。
【図２】図２は、第１の実施の形態にかかる内視鏡システムの要部の機能構成を示すブロック図である。
【図３】図３は、第１の実施の形態にかかる内視鏡システムのビデオプロセッサにおける画像変換選択回路の構成を示したブロック図である。
【図４】図４は、第１の実施の形態にかかる内視鏡システムのビデオプロセッサにおける画像変換選択回路において画像変換回路の具体例を示した図である。
【図５】図５は、第１の実施の形態にかかる内視鏡システムにおける画像変換選択回路の作用を示したタイミングチャートであり、フレーム単位で画像変換をする場合における変換適用選択カウンタと出力画像との一関係例を示した図である。
【図６】図６は、第１の実施の形態にかかる内視鏡システムにおける画像変換選択回路の作用を示したタイミングチャートであり、フレーム単位で画像変換をする場合における変換適用選択カウンタと出力画像との他の関係例を示した図である。
【図７】図７は、第１の実施の形態にかかる内視鏡システムにおける画像変換選択回路の作用を示したタイミングチャートであり、フレーム単位で画像変換をする場合における変換適用選択カウンタと出力画像との他の関係例を示した図である。
【図８】図８は、本発明の第２の実施の形態にかかる内視鏡システムにおける画像変換選択回路において画像変換回路の具体例を示した図である。
【図９】図９は、本発明の第３の実施の形態にかかる内視鏡システムにおける画像変換選択回路において画像変換回路の具体例を示した図である。
【図１０】図１０は、本発明の第４の実施の形態にかかる内視鏡システムにおける画像変換選択回路において画像変換回路の具体例を示した図である。
【図１１】図１１は、本発明の第５の実施の形態にかかる内視鏡システムの要部の機能構成を示すブロック図である。
【図１２】図１２は、第５の実施の形態にかかる内視鏡システムのビデオプロセッサにおける画像変換選択回路の構成を示したブロック図である。
【図１３】図１３は、第５の実施の形態にかかる内視鏡システムにおける画像変換選択回路の作用を示したタイミングチャートであり、フィールド単位で画像変換をする場合における変換適用選択カウンタと出力画像との一関係例を示した図である。
【図１４】図１４は、第５の実施の形態にかかる内視鏡システムにおける画像変換選択回路の作用を示したタイミングチャートであり、フィールド単位で画像変換をする場合における変換適用選択カウンタと出力画像との他の関係例を示した図である。
【図１５】図１５は、第５の実施の形態にかかる内視鏡システムにおける画像変換選択回路の作用を示したタイミングチャートであり、フィールド単位で画像変換をする場合における変換適用選択カウンタと出力画像との他の関係例を示した図である。
【発明を実施するための形態】
【００１２】
以下、図面を参照して本発明の実施の形態を説明する。  
また、この実施の形態により、この発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１３】
図１は、本発明の第１の実施の形態にかかる内視鏡システムの概略構成を示す図である。また、図２は、第１の実施の形態にかかる内視鏡システムの要部の機能構成を示すブロック図である。
【００１４】
図１に示すように、内視鏡システム１は、被検体の体腔内に先端部を挿入することによって被写体の体内画像を撮像し当該被写体像の画像信号を出力する内視鏡２と、内視鏡２から出力される画像信号に対して所定の画像処理を施すとともに内視鏡システム１全体の動作を統括的に制御するビデオプロセッサ３と、内視鏡２の先端から出射するための照明光を発生する光源装置４と、ビデオプロセッサ３において画像処理が施された画像を表示する表示装置５と、を備える。
【００１５】
内視鏡２は、可撓性を有する細長形状をなす挿入部２１と、挿入部２１の基端側に接続され、各種の操作信号の入力を受け付ける操作部２２と、操作部２２から延出されビデオプロセッサ３および光源装置４と接続する各種ケーブルを内蔵するユニバーサルコード２３と、を備える。
【００１６】
挿入部２１は、後述する撮像素子を内蔵した先端部２４と、複数の湾曲駒によって構成された湾曲自在な湾曲部２５と、湾曲部２５の基端側に接続され、可撓性を有する長尺状の可撓管部２６と、を有する。
【００１７】
先端部２４は、グラスファイバ等を用いて構成されて光源装置４が発生した光の導光路をなすライトガイド２４１と、ライトガイド２４１の先端に設けられた照明レンズ２４２と、集光用の光学系２４３と、光学系２４３の結像位置に設けられ、光学系２４３が集光した光を受光して電気信号に光電変換するとともに所定の信号処理を施す撮像装置としての撮像素子２４４と、内視鏡２用の処置具が挿通される処置具チャンネル（図示せず）と、を有する。なお、光学系２４３は、１または複数のレンズにより構成される。
【００１８】
図２を参照して、撮像素子２４４の電気的な構成を説明する。  
図２に示すように、撮像素子２４４は、光学系２４３からの光を光電変換して電気信号を画像情報として出力するセンサ部２４４ａ（撮像部）と、センサ部２４４ａが出力した電気信号に対してノイズ除去およびＡ／Ｄ変換を行うアナログフロントエンド２４４ｂ（以下、「ＡＦＥ部２４４ｂ」という）と、ＡＦＥ部２４４ｂが出力したデジタル信号をパラレル／シリアル変換して外部に送信するＰ／Ｓ変換部２４４ｃ（送信部）と、センサ部２４４ａの駆動タイミング、ＡＦＥ部２４４ｂおよびＰ／Ｓ変換部２４４ｃにおける各種信号処理のパルスを発生するタイミングジェネレータ２４４ｄ（同期信号発生部）と、撮像素子２４４の動作を制御する制御部２４４ｅと、各種設定情報を記憶する記憶部２４４ｋと、を有する。
【００１９】
撮像素子２４４は、本実施形態においては、ＣＭＯＳ（Complementary Metal Oxide Semiconductor）イメージセンサ（ＣＩＳ）を採用する。タイミングジェネレータ２４４ｄは、ビデオプロセッサ３から送信される各種駆動信号（同期信号）を受信する。
【００２０】
センサ部２４４ａは、光量に応じた電荷を蓄積するフォトダイオードおよびフォトダイオードが蓄積した電荷を増幅する増幅器をそれぞれ有する複数の画素が２次元マトリックス状に配設された受光部２４４ｆと、受光部２４４ｆの複数の画素のうち読み出し対象として任意に設定された画素が生成した電気信号を画像情報として読み出す読み出し部２４４ｇと、を有する。
【００２１】
なお、本実施形態の内視鏡システム１は同時式の観察方式を採用するものとし、前記受光部２４４ｆには、各画素に対応するＣＭＹＧ（Cyan、Magenta、Yellow、Green）補色系のカラーフィルタ（図示せず）が配設されている。
【００２２】
ＡＦＥ部２４４ｂは、電気信号（アナログ）に含まれるノイズ成分を低減するノイズ低減部２４４ｈと、電気信号の増幅率（ゲイン）を調整して一定の出力レベルを維持するＡＧＣ（Auto Gain Control）部２４４ｉと、ＡＧＣ部２４４ｉを介して出力された電気信号をＡ／Ｄ変換するＡ／Ｄ変換部２４４ｊと、を有する。ノイズ低減部２４４ｈは、たとえば相関二重サンプリング（Correleted Double Sampling）法を用いてノイズの低減を行う。
【００２３】
制御部２４４ｅは、ビデオプロセッサ３から受信した設定データにしたがって、先端部２４の各種動作を制御する。なお、制御部２４４ｅは、ＣＰＵ等を用いて構成される。
【００２４】
記憶部２４４ｋは、本実施形態においては、フラッシュメモリまたはＤＲＡＭ（Dynamic Random Access Memory ）等の半導体メモリを用いて実現され、ビデオプロセッサ３の識別情報および面順次式もしくは同時式の観察方式を示す観察情報（なお本実施形態においてビデオプロセッサ３は同時式の観察方式を採用）、撮像素子２４４の撮像速度（フレームレート）、およびセンサ部２４４ａの任意の画素からの画素情報の読み出し速度またはシャッタ制御設定ならびにＡＦＥ部２４４ｂが読み出した画素情報の伝送制御情報等を記憶する。
【００２５】
操作部２２と先端部２４との間には、ビデオプロセッサ３との間で電気信号の送受信を行う複数の信号線が束ねられた集合ケーブル２４５が接続され、操作部２２とコネクタ部２７との間には集合ケーブル２２４が接続されている。なお、複数の信号線には、撮像素子２４４が出力した画像信号をビデオプロセッサ３へ伝送する信号線およびビデオプロセッサ３が出力する制御信号を撮像素子２４４へ伝送する信号線等が含まれる。
【００２６】
また、本実施形態において、電気信号の送受信には２本の信号線（差動信号線）を用いて一つの信号を伝送する方式（差動伝送）が用いられる。この差動伝送方式は、差動信号線間の電圧をそれぞれ正（＋）および負（−、位相反転）とすることによって、各線にノイズが混入してもキャンセルできるため、シングルエンド信号に比べてノイズに強く、データの高速伝送が可能となる。
【００２７】
なお、上述した差動伝送は、ユニバーサルコード２３または可撓管部２６の長さが長い場合には用いられることが好ましいが、この長さが短い場合は、シングルエンド信号を用いるシングルエンド信号伝送であっても適用可能である。
【００２８】
図１に戻って、操作部２２は、湾曲部２５を上下方向および左右方向に湾曲させる湾曲ノブ２２１と、体腔内に生体鉗子、レーザメスまたは検査プローブ等の処理具を挿入する処置具挿入部２２２と、送気手段、送水手段または送ガス手段等の切り替えを行う信号を入力する複数の第１入力スイッチ２２３ａ、並びにビデオプロセッサ３または光源装置４の設定を入力する複数の第２入力スイッチ２２３ｂを備えるスイッチ２２３と、を有する。
【００２９】
処置具挿入部２２２から挿入される処置具は、先端部２４の処置具チャンネルを経由して開口部から表出する（図示せず）。ここで、コネクタ部２７から先端部２４に信号を伝送する場合において、ユニバーサルコード２３で信号を中継して、差動信号をシングルエンド信号に変換する回路を配設する。
【００３０】
ここで差動信号を先端部２４まで伝送させる場合、この差動信号からシングルエンド信号に変換する変換回路を差動バッファとしてもよいし、先端部２４からコネクタ部２７に伝送する差動信号を一度操作部２２で中継し、差動バッファを配置するようにしてもよい。
【００３１】
なお、例えば、ユニバーサルコード２３内の差動の信号伝達にはツイナックス線、挿入部２１内のシングルエンド信号伝送には同軸線を適用するというように、挿入部２１およびユニバーサルコード２３でそれぞれの伝送に適した撮像ケーブルで構成することが好ましい。
【００３２】
ユニバーサルコード２３は、ライトガイド２４１と、集合ケーブル２２４と、を少なく とも内蔵している。ユニバーサルコード２３は、光源装置４に着脱自在なコネクタ部２７ （図１を参照）を有する。
【００３３】
コネクタ部２７は、コイル状のコイルケーブル２７ａが延設し、コイルケーブル２７ａの延出端にビデオプロセッサ３と着脱自在な電気コネクタ部２８を有する。
【００３４】
このコネクタ部２７は、内部に内視鏡２の制御を行う制御部２７１と、ＦＰＧＡ（Field Programmable Gate Array ）２７２と、内視鏡２の各構成部の動作の基準となる基準クロック信号（例えば、６８ＭＨｚのクロック）を生成する基準クロック生成部２７３と、コンフィグレーションデータを記録する第１ＥＥＰＲＯＭ２７４と、撮像情報を含む内視鏡固有データを記録する第２ＥＥＰＲＯＭ２７５と、を有する。
【００３５】
つぎに、ビデオプロセッサ３の構成について説明する。  
ビデオプロセッサ３は、Ｓ／Ｐ変換部３０１と、画像処理部３０２と、明るさ検出部３０３と、調光部３０４と、読出アドレス設定部３０５と、駆動信号生成部３０６と、入力部３０７と、記憶部３０８と、制御部３０９と、基準クロック生成部３１０と、を備えて構成される。
【００３６】
なお、本実施の形態では、ビデオプロセッサ３として同時式を採用する構成を例に説明するが、本発明は面順次であっても適用することができる。
【００３７】
Ｓ／Ｐ変換部３０１は、当該ビデオプロセッサ３に内視鏡２が接続された際、内視鏡２から出力された画像信号（デジタル信号）をシリアル／パラレル変換する。
【００３８】
画像処理部３０２は、Ｓ／Ｐ変換部３０１から出力されたパラレル形態の画像信号に所定の画像処理を施し、表示装置５が表示する体内画像を生成する。また、画像処理部３０２は、色変換部３０２ａと、ホワイトバランス（ＷＢ）調整部３０２ｂと、ゲイン調整部３０２ｃと、γ補正部３０２ｄと、画像変換選択回路３１１と、Ｄ／Ａ変換部３０２ｅと、フォーマット変更部３０２ｆと、静止画像用メモリ３０２ｈと、を有する。
【００３９】
色変換部３０２ａは、ＣＭＹＧベイヤー画像信号を輝度信号および色差信号に変換し後段に対して出力する。
【００４０】
ホワイトバランス調整部３０２ｂは、色変換部３０２ａから出力された輝度信号および色差信号をＲＧＢ画像信号に変換するとともにこのＲＧＢ画像信号のホワイトバランスを調整する。具体的には、ホワイトバランス調整部３０２ｂは、ＲＧＢ画像信号に含まれる色温度に基づいて、ＲＧＢ画像信号のホワイトバランスを調整する。
【００４１】
ゲイン調整部３０２ｃは、ＲＧＢ画像信号のゲイン調整を行う。ゲイン調整部３０２ｃは、ゲイン調整を行ったＲＧＢ信号をγ補正部３０２ｄへ出力するとともに、一部のＲＧＢ信号を、静止画像表示用、拡大画像表示用または強調画像表示用として静止画像用メモリ３０２ｈへ出力する。
【００４２】
γ補正部３０２ｄは、表示装置５に対応させてＲＧＢ画像信号の階調補正（γ補正）を行う。
【００４３】
画像変換選択回路３１１は、本発明を特徴づける処理回路であって、所定の画像変換処理を時分割で行うことを特徴とする。なお、詳細については後述する。
【００４４】
Ｄ／Ａ変換部３０２ｅは、画像変換選択回路３１１が出力した画像信号を アナログ信号に変換する。
【００４５】
フォーマット変更部３０２ｆは、アナログ信号に変換された画像信号をハイビジョン方式等の動画用のファイルフォーマットに変更して表示装置５に出力する。
【００４６】
明るさ検出部３０３は、色変換部３０２ａから出力された輝度信号に基づいて各画素に対応する明るさレベルを検出し、検出した明るさレベルを内部に設けられたメモリに記録するとともに制御部３０９へ出力する。また、明るさ検出部３０３は、検出した明るさレベルをもとに、ホワイトバランス調整値、ゲイン調整値および光照射量を算出し、ホワイトバランス調整値をホワイトバランス調整部３０２ｂへ、ゲイン調整値をゲイン調整部３０２ｃへ、光照射量を調光部３０４へ出力する。
【００４７】
調光部３０４は、制御部３０９の制御のもと、明るさ検出部３０３が算出した光照射量をもとに光源装置４が発生する光の種別、光量、発光タイミング等を設定し、この設定した条件を含む光源同期信号を光源装置４へ送信する。
【００４８】
読出アドレス設定部３０５は、センサ部２４４ａの受光面における読み出し対象の画素および読み出し順序を、内視鏡２における制御部２７１と通信することにより設定する機能を有する。このとき内視鏡２における制御部２７１は、第２ＥＥＰＲＯＭ２７５に格納されているセンサ部２２４ａの種類情報を読み出し、ビデオプロセッサ３へ送信する。
【００４９】
また、読出アドレス設定部３０５は、ＡＦＥ部２４４ｂが読み出すセンサ部２４４ａの画素のアドレスを設定する機能を有する。そして、読出アドレス設定部３０５は、設定した読み出し対象の画素のアドレス情報を色変換部３０２ａへ出力する。
【００５０】
駆動信号生成部３０６は、内視鏡２を駆動するための駆動用のタイミング信号（水平同期信号（ＨＤ）および垂直同期信号（ＶＤ））を生成し、内視鏡２におけるＦＰＧＡ２７２、集合ケーブル２２４，２４５に含まれる所定の信号線を介してタイミングジェネレータ２４４ｄ（撮像素子２４４）へ送信する。このタイミング信号は、読み出し対象の画素のアドレス情報を含む。
【００５１】
また、駆動信号生成部３０６は、内視鏡２からビデオプロセッサ３に送信される電気信号の送信制御を行なうためのスタンバイ信号を生成する。ここで、スタンバイ信号は、Ｐ／Ｓ変換部２４４ｃによる電気信号（画像情報）のＦＰＧＡ２７２側への送信を送信状態または停止状態（スタンバイ状態）のいずれかに設定する信号である。
【００５２】
入力部３０７は、フロントパネルまたはキーボードにより設定されるフリーズ、レリーズ等の内視鏡システム１の動作を指示する動作指示信号の入力を受け付けると共に、画像処理部３０２における各種画像調整（強調、電子拡大、色調等）、および、後述する画像変換に係る画像処理等の指示信号の入力を受け付ける。
【００５３】
記憶部３０８は、フラッシュメモリまたはＤＲＡＭ（Dynamic Random Access Memory）等の半導体メモリを用いて実現される。記憶部３０８は、内視鏡システム１を動作させるための各種プログラム、および内視鏡システム１の動作に必要な各種パラメータ等を含むデータを記憶する。
【００５４】
また、記憶部３０８は、ビデオプロセッサ３の識別情報および観察情報を記憶する。ここで、識別情報には、ビデオプロセッサ３の固有情報（ＩＤ）、年式、制御部３０９のス ペック情報および伝送レート情報が含まれる。
【００５５】
制御部３０９は、ＣＰＵ等を用いて構成され、ビデオプロセッサ３（特に画像変換選択回路３１１）、内視鏡２および光源装置４を含む各構成部の駆動制御、および各構成部に対する情報の入出力制御等を行う。
【００５６】
また制御部３０９は、撮像制御のための設定データを、ビデオプロセッサ３に接続された内視鏡２におけるコネクタ部２７のＦＰＧＡ２７２に送信し、撮像素子２４４に必要な信号およびデータを集合ケーブル２２４，２４５に含まれる所定の信号線を介して制御部２４４ｅに送信する。
【００５７】
基準クロック生成部３１０は、内視鏡システム１の各構成部の動作の基準となる基準クロック信号を生成し、内視鏡システム１の各構成部に対して生成した基準クロック信号を供給する。
【００５８】
つぎに、光源装置４の構成について説明する。  
光源装置４は、光源４１、光源ドライバ４２および光源制御部４６を備えて構成される。
【００５９】
光源４１は、白色ＬＥＤ（Light  Emitting  Diode）またはキセノンランプ等を用いて構成され、光源制御部４６の制御のもと、白色光を発生する。
【００６０】
光源ドライバ４２は、光源４１に対して光源制御部４６の制御のもとで電流を供給することにより、光源４１に白色光を発生させる。光源４１が発生した光は、集光レンズ（図示せず）およびライトガイド２４１を経由して先端部２４の先端から照射される。
【００６１】
光源制御部４６は、調光部３０４から送信された調光信号に従って光源４１に供給する 電流量を制御する。
【００６２】
表示装置５は、映像ケーブルを介してビデオプロセッサ３が生成した体内画像をビデオプロセッサ３から受信して表示する機能を有する。表示装置５は、液晶または有機ＥＬ（Electro Lumines cence ）等を用いて構成される。
【００６３】
次に、画像変換選択回路３１１の構成について説明する。  
上述したように、本実施形態においては、画像処理部３０２において、内視鏡２から出力された画像信号に対して所定の画像処理を施す。たとえは、ホワイトバランス調整およびγ補正等を行うが、さらに、画像変換選択回路３１１においてノイズ補正等の所定の画像変換処理を施す。
【００６４】
ところで、一般にノイズ補正等のための画像処理は、動画信号に係る１枚の画像全体の各画素に対して同じ画像変換処理を施すことなる。このため、当該画像変換処理固有の効果、たとえば、画像信号のノイズ感を軽減することができる一方で、解像度を犠牲にするおそれがあり、いわゆるトレードオフの関係となる弊害を生じる場合もある。
【００６５】
本発明は、係る事情に鑑みてなされたものであり、画像変換選択回路３１１において当該画像変換処理を時分割で行うことで、本来の画像信号の特徴を維持しつつ画像変換の効果を得ることを可能とするものである。
【００６６】
図３は、本第１の実施形態のビデオプロセッサ３における画像変換選択回路３１１の構成を示したブロック図であり、図４は、ビデオプロセッサ３における画像変換選択回路３１１において画像変換回路の具体例を示した図である。
【００６７】
図３に示すように、画像変換選択回路３１１は、γ補正部３０２ｄから出力される画像信号を入力し画像変換はせずにスルーして出力するスルー回路７０と、同じく前記γ補正部３０２ｄから出力される画像信号を入力し当該画像信号に対して所定の画像変換作用を施して出力する画像変換回路３０と、前記画像変換回路３０における画像変換作用を時分割で適用するための変換適用選択カウンタ７２と、前記スルー回路７０および前記画像変換回路３０の出力を入力し、前記変換適用選択カウンタ７２からの情報を受けて前記スルー回路７０と前記画像変換回路３０との出力信号を選択的に出力する選択回路７１と、を備える。
【００６８】
スルー回路７０は、上述したようにγ補正部３０２ｄから出力される画像信号を入力するが、入力した画像信号に対しては画像変換回路３０と遅延量を合わせるのみで特に画像変換はせずにスルーして後段の選択回路７１に出力する。
【００６９】
画像変換回路３０は、γ補正部３０２ｄからの動画像信号である画像信号を入力し、当該動画像信号の１枚全体の各画素に対応する信号に対して所定の画像変換を施すものである。なお、本第１の実施形態において画像変換回路３０は、上述した画像変換を施す際に、当該動画像信号の各画素に対応する信号に対してフレーム単位で所定の画像変換を施すようになっている。
【００７０】
また画像変換回路３０は、本第１の実施形態においては、図４に示すようにメディアン処理ｏｒ平均値処理回路３１として構成される。このメディアン処理ｏｒ平均値処理回路３１は、入力した画像信号に対して、いわゆるメディアン（中央値）フィルタまたは平均値フィルタを用いてノイズを除去する回路であって、動画信号である当該画像信号に係る１枚（１フレーム）の画像全体の各画素に対して同じ画像変換処理（ノイズ除去処理）を施す回路である。
【００７１】
なお、メディアンフィルタは、各画素の値を周辺画素の中央値に置き換えることによりノイズを除去するフィルタであり、平均値フィルタは、各画素の値を周辺画素の平均値に置き換えることによりノイズを除去するフィルタである。
【００７２】
ここで、これらメディアンフィルタまたは平均値フィルタを用いたノイズ補正処理は、いずれも所定のノイズを除去するという画像変換による効果を得ることができる一方で、解像度の多少の劣化は避けられず、特に平均値フィルタを用いたノイズ除去処理による劣化の影響は大きいことが知られている。
【００７３】
変換適用選択カウンタ７２は、本実施形態においては、画像変換選択回路３１１が入力する画像信号のフレーム数をカウントするカウンタであり、制御部３０９の制御の下、カウンタ数の情報を選択回路７１に伝達するようになっている。
【００７４】
選択回路７１は、制御部３０９の制御下に、前記変換適用選択カウンタ７２からのカウンタ数の情報に応じて、所定の出力割合のスルー回路７０と画像変換回路３０（メディアン処理ｏｒ平均値処理回路３１）とのそれぞれの出力信号を所定の割合に基づいて選択的に後段に出力する。
【００７５】
より具体的前記選択回路７１は、スルー回路７０からの「画像変換処理無し画像信号；第１の信号」と、メディアン処理ｏｒ平均値処理回路３１からの「画像変換処理有り画像信号；第２の信号」とを、それぞれの信号の選択的出力の割合を示す所定の情報に基づき、前記カウンタ数の情報に応じて前記第１の信号または第２の信号のいずれかを選択し、後段に出力する。
【００７６】
すなわち、前記選択回路７１は、例えば入力部３０７からの指示情報（選択的出力の割合を示す情報）に応じて、制御部３０９の制御下に、前記「画像変換処理無し画像信号；第１の信号」と前記「画像変換処理有り画像信号；第２の信号」との選択的出力の割合を調整することができるようになっている。
【００７７】
ここで、入力部３０７は、第１の信号と第２の信号との選択的割合を指示する選択指示部としての役目を果たす。
【００７８】
このように、本実施形態における画像変換選択回路３１１は、メディアン処理ｏｒ平均値処理回路３１におけるノイズ除去処理（画像変換処理）を、前記カウンタ数の情報に応じて時分割により行うことができ、その時分割の割合を調整することで画像変換処理の効果を調整することができる。
【００７９】
次に、前記画像変換選択回路３１１の作用について説明する。  
図５、図６、図７は、動画像信号をフレーム単位で画像変換を施す場合における変換適用選択カウンタ７２と画像変換選択回路３１１からの出力画像との関係例を示したタイミングチャートであって、図５は、画像変換回路３０における「画像変換処理有り画像信号」とスルー回路７０における「画像変換処理無し画像信号」との割合が１：１の例を、図６は、同割合が１：２の例を、図７は、同割合が２：１の例をそれぞれ示したものである。
【００８０】
たとえば、入力部３０７において「画像変換処理有り画像信号」と「画像変換処理無し画像信号」との割合を１：１に設定した場合、選択回路７１は、制御部３０９の制御下に変換適用選択カウンタ７２からのカウンタ数の情報を受けてメディアン処理ｏｒ平均値処理回路３１においてノイズ除去処理された画像信号（画像変換処理有り信号）と、スルー回路７０においてスルーされた画像信号（画像変換処理無し信号）とを１：１の割合になるよう選択的に出力する。
【００８１】
ここで、「画像変換処理有り画像信号」と「画像変換処理無し画像信号」との割合を１：１に設定した場合、選択回路７１は、図５に示すように、変換適用選択カウンタ７２におけるカウンタが“０”に対応するフレームにおいてはスルー回路７０の出力を選択する。すなわち、画像変換処理を行わない画像信号を選択して出力するようになっている。
【００８２】
一方、選択回路７１は、変換適用選択カウンタ７２が“１”に対応するフレームにおいては画像変換回路３０（メディアン処理ｏｒ平均値処理回路３１）の出力を選択する。すなわち、画像変換処理を行った画像信号を選択して出力するようになっている。
【００８３】
また、「画像変換処理有り画像信号」と「画像変換処理無し画像信号」との割合を１：２に設定した場合、選択回路７１は、図６に示すように、変換適用選択カウンタ７２におけるカウンタが“０”および“１”に対応するフレームにおいてはスルー回路７０の出力を選択する。すなわち、画像変換処理を行わない画像信号を選択して出力するようになっている。
【００８４】
一方、選択回路７１は、変換適用選択カウンタ７２が“２”に対応するフレームにおいては画像変換回路３０（メディアン処理ｏｒ平均値処理回路３１）の出力を選択する。すなわち、画像変換処理を行った画像信号を選択して出力するようになっている。
【００８５】
さらに、「画像変換処理有り画像信号」と「画像変換処理無し画像信号」との割合を２：１に設定した場合、選択回路７１は、図７に示すように、変換適用選択カウンタ７２におけるカウンタが“０”に対応するフレームにおいてはスルー回路７０の出力を選択する。すなわち、画像変換を行わない画像信号を選択して出力するようになっている。
【００８６】
一方、選択回路７１は、変換適用選択カウンタ７２が“１”および“２”に対応するフレームにおいては画像変換回路３０（メディアン処理ｏｒ平均値処理回路３１）の出力を選択する。すなわち、画像変換を行った画像信号を選択して出力するようになっている。
【００８７】
ところで、上述したように「画像変換処理有り画像信号」と「画像変換処理無し画像信号」とを所定の割合で出力する際、換言すれば、これら画像変換処理の有無をカウンタのタイミングに応じて切り替えて出力する際、切り替えのタイミングによっては表示装置５に表示される映像がちらついて視認される虞がある。
【００８８】
一般に人の目の時間分解能は約５０〜１００ｍｓ（１０〜２０Ｈｚ）程度であることから、前記カウンタのタイミングはこの周波数を考慮して設定することが望ましい。すなわち、この周波数を考慮して前記カウンタのタイミングが設定された場合、表示される映像は時間方向に平滑化されて見えることとなる。
【００８９】
そして、本実施形態の内視鏡システム１は係る点を考慮し、人の目ではちらつきが視認できない程度に前記カウンタのタイミングを設定するものとする。
【００９０】
以上説明したように、本第１の実施形態においては、画像処理部３０２に画像変換選択回路３１１を設け、画像変換処理を施さずスルーした「画像変換処理無し画像信号；第１の信号」と、所定の画像変換処理を施した「画像変換処理有り画像信号；第２の信号」とを調整可能な所定の割合で選択的に出力することで、解像度劣化の影響を抑えつつ画像変換処理の効果（本実施形態の場合はノイズ除去効果）を得ることができる。
【００９１】
＜第１変形例＞
上述した第１の実施形態においては、入力部３０７は、第１の信号と第２の信号との選択的割合を指示する選択指示部としての役目を果たし、すなわち、前記選択回路７１は、当該入力部３０７からの指示情報（選択的出力の割合を示す情報）に応じて、制御部３０９の制御下に、前記「画像変換処理無し画像信号；第１の信号」と前記「画像変換処理有り画像信号；第２の信号」との選択的出力の割合を調整することができるようにした。
【００９２】
これに対して本第１変形例の内視鏡システムは、前記「画像変換処理無し画像信号；第１の信号」と前記「画像変換処理有り画像信号；第２の信号」との選択的出力の割合を示す情報を予め記憶する記憶部を、内視鏡２に備えることを特徴とする。
【００９３】
具体的には、内視鏡２のコネクタ部２７における前記第２ＥＥＰＲＯＭ２７５に、前記選択的出力の割合を示す情報を記憶する。
【００９４】
そして、本第１変形例において選択回路７１は、制御部３０９の制御下に、内視鏡２における前記第２ＥＥＰＲＯＭ２７５に記憶されている「選択的出力の割合を示す情報」を読み出し、当該指示情報（選択的出力の割合を示す情報）に応じて、制御部３０９の制御下に、前記「画像変換処理無し画像信号；第１の信号」と前記「画像変換処理有り画像信号；第２の信号」との選択的出力の割合を調整する。
【００９５】
＜第２変形例＞
上述した第１の実施形態においては、入力部３０７は、第１の信号と第２の信号との選択的割合を指示する選択指示部としての役目を果たし、すなわち、前記選択回路７１は、当該入力部３０７からの指示情報（選択的出力の割合を示す情報）に応じて、制御部３０９の制御下に、前記「画像変換処理無し画像信号；第１の信号」と前記「画像変換処理有り画像信号；第２の信号」との選択的出力の割合を調整することができるようにした。
【００９６】
これに対して本第２変形例の内視鏡システムは、前記第１の信号と前記第２の信号との選択的出力の割合を示す情報であって内視鏡２の種別ごとに定まる固有情報を格納する記憶部をビデオプロセッサ３に備える。
【００９７】
具体的には、ビデオプロセッサ３における記憶部３０８に、内視鏡２の種別ごとに定まる前記選択的出力の割合を示す情報を記憶する。
【００９８】
そして、本第２変形例において選択回路７１は、制御部３０９の制御下に、ビデオプロセッサ３に内視鏡２が接続された際に、内視鏡２における前記第２ＥＥＰＲＯＭ２７５に記憶されている内視鏡ＩＤ情報に応じて、記憶部３０８に格納されている当該内視鏡２の種別に対応する「選択的出力の割合を示す情報」を読み出し、当該指示情報（選択的出力の割合を示す情報）に応じて、制御部３０９の制御下に、前記「画像変換処理無し画像信号；第１の信号」と前記「画像変換処理有り画像信号；第２の信号」との選択的出力の割合を調整する。
【００９９】
＜第３変形例＞
上述した第１の実施形態においては、画像変換回路３０における処理内容（第１の実施形態においてはメディアン処理ｏｒ平均値処理）は、専用の機能を有するハードウェアとして構成されるもとしたが、第３の変形例では、画像変換回路３０を、例えばＦＰＧＡ（Field Programmable Gate Array ）等のＰＬＤ（Programmable Logic Device；プログラマブルロジックデバイス）により構成し、当該処理機能の内容を変更できるようにした。
【０１００】
＜第４変形例＞
上述した第１の実施形態においては、画像変換回路３０における処理内容は、専用の機能を有するハードウェアとして構成されるものとしたが、第４変形例は、画像変換回路３０の処理機能の内容をソフトウェアにより構成し、例えば、制御部３０９に接続された記憶部３０８に当該処理機能に係る情報を記憶し、画像変換回路３０は、当該記憶された内容に即して処理機能を設定する。
【０１０１】
＜第５変形例＞
上述した第１の実施形態においては、画像変換回路３０における処理内容は、専用の機能を有するハードウェアとして構成されるものとしたが、本第５の変形例では、当該画像変換回路３０の処理機能の内容を、例えば、内視鏡２における前記第２ＥＥＰＲＯＭ２７５に記憶し、当該記憶された内容に即して処理機能を設定する。
【０１０２】
＜第６変形例＞
上述した第１の実施形態においては、本願発明を特徴づける画像変換選択回路３１１をビデオプロセッサ３に設けるが、本第６変形例では、当該画像変換選択回路３１１の機能を内視鏡２に設けることを特徴とする。
【０１０３】
そして、本第６変形例において、内視鏡２側に設けた画像変換選択回路は、ビデオプロセッサ３側からのクロック信号に基づいて変換適用選択カウンタが所定のカウンタ情報を出力する。
【０１０４】
さらに、本第６変形例において、内視鏡２側に設けた画像変換選択回路は、ビデオプロセッサ３側からの選択指示、すなわち、第１の信号と第２の信号との選択的割合に係る指示を受けるか、または、内視鏡２において記憶する当該選択的割合に係る情報に基づいて、選択回路が当該指示情報（選択的出力の割合を示す情報）に応じて、たとえば制御部２７１の制御下に、前記「画像変換処理無し画像信号；第１の信号」と前記「画像変換処理有り画像信号；第２の信号」との選択的出力の割合を調整するようになっている。
【０１０５】
＜第２の実施形態＞
次に、本発明の第２の実施形態について説明する。  
図８は、本発明の第２の実施の形態にかかる内視鏡システムにおける画像変換選択回路において画像変換回路の具体例を示した図である。
【０１０６】
本第２の実施形態の内視鏡システムは、その基本的な構成は第１の実施形態と同様であり、ビデオプロセッサ３の画像変換選択回路３１１における画像変換回路３０の画像変換作用のみを異にするものである。したがって、ここでは第１の実施形態との差異のみの説明にとどめ、共通する部分の説明については省略する。
【０１０７】
図８に示すように、第２の実施形態の内視鏡システムにおいては、画像変換選択回路３１１の画像変換回路３０は、エッジ強調処理回路３２として構成される。
【０１０８】
エッジ強調処理回路３２は、ビデオプロセッサ３における前記γ補正部３０２ｄからの動画像信号である画像信号を入力し、当該動画像信号の１枚の画像全体の各画素に対応する信号に対してエッジ強調処理を施すものである。
【０１０９】
ここで、エッジ強調処理により構造強調を行うと、エッジ強調の程度が大きいと表示装置５に表示される映像のノイズ感がかえって悪化するように感じられる場合があることが知られている。
【０１１０】
係る事情に鑑み本第２の実施形態においても、第１の実施形態と同様に選択回路７１は、前記変換適用選択カウンタ７２からのカウンタ数の情報に応じて、スルー回路７０と画像変換回路３０（エッジ強調処理回路３２）との出力信号を選択して後段に出力する。
【０１１１】
すなわち、本第２の実施形態における画像変換選択回路３１１は、エッジ強調処理回路３２におけるノイズ補正処理（画像変換処理）を、第１の実施形態と同様に、前記カウンタ数の情報に応じて時分割により行うことを特徴とする。
【０１１２】
また本第２の実施形態における画像変換選択回路３１１は、第１の実施形態と同様に、前記カウンタ数の情報に応じて、エッジ強調処理回路３２における「画像変換処理有り画像信号」と、スルー回路７０における「画像変換処理無し画像信号」との割合を調整して時分割処理を行うようになっている。
【０１１３】
その他の構成、作用効果については第１の実施形態と同様であるのでここでの説明は省略する。
【０１１４】
なお、本実施形態においても第１の実施形態と同様に、画像変換回路３０における処理内容は、専用の機能を有するハードウェアとして構成されるが、第１の実施形態における第３変形例と同様に、画像変換回路３０を、例えばＦＰＧＡ（Field Programmable Gate Array ）等のＰＬＤ（Programmable Logic Device；プログラマブルロジックデバイス）により構成し、当該処理機能の内容を変更できるようにしてもよい。
【０１１５】
また、第１の実施形態における第４変形例と同様に、画像変換回路３０の処理機能の内容を、例えば、制御部３０９に接続された記憶部３０８に記憶し、当該記憶された内容に即して処理機能を設定するようにしてもよい。
【０１１６】
以上説明したように、本第２の実施形態においても、画像処理部３０２に画像変換選択回路３１１を設け、画像変換処理を施さずスルーした「画像変換処理無し画像信号；第１の信号」と、所定の画像変換処理を施した「画像変換処理有り画像信号；第２の信号」とを調整可能な所定の割合で選択的に出力することで、ノイズ感悪化の影響を抑えつつ画像変換処理の効果（本実施形態の場合はエッジ強調効果）を得ることができる。
【０１１７】
＜第３の実施形態＞
次に、本発明の第３の実施形態について説明する。  
図９は、本発明の第３の実施の形態にかかる内視鏡システムにおける画像変換選択回路において画像変換回路の具体例を示した図である。
【０１１８】
本第３の実施形態の内視鏡システムは、その基本的な構成は第１の実施形態と同様であり、ビデオプロセッサ３の画像変換選択回路３１１における画像変換回路３０の画像変換作用のみを異にするものである。したがって、ここでは第１の実施形態との差異のみの説明にとどめ、共通する部分の説明については省略する。
【０１１９】
図９に示すように、第３の実施形態の内視鏡システムにおいては、画像変換選択回路３１１の画像変換回路３０は、カラーマトリックス変換処理回路３３として構成される。
【０１２０】
カラーマトリックス変換処理回路３３は、ビデオプロセッサ３における前記γ補正部３０２ｄからの動画像信号である画像信号を入力し、当該動画像信号の１枚の画像全体の各画素に対応する信号に対してカラーマトリックス変換処理を施すものである。
【０１２１】
このカラーマトリックス変換処理は、被写体画像のうち、着目する色調を強調するために画像信号のカラーマトリックスを変換する処理であり、強調の度合いが適切である場合、元の被写体画像に対して着目部位が識別しやすくなるという特有の効果を奏するが、強調の度合いが過度になった場合、かえって元の被写体画像との対比が困難になるという不具合が生じる虞がある。
【０１２２】
係る事情に鑑み本第３の実施形態においても、第１、第２の実施形態と同様に選択回路７１は、前記変換適用選択カウンタ７２からのカウンタ数の情報に応じて、スルー回路７０と画像変換回路３０（カラーマトリックス変換処理回路３３）との出力信号を選択的に後段に出力する。
【０１２３】
すなわち、本第３の実施形態における画像変換選択回路３１１は、カラーマトリックス変換処理回路３３におけるカラーマトリックス変換処理（画像変換処理）を、第１の実施形態と同様に、前記カウンタ数の情報に応じて時分割により行うことを特徴とする。
【０１２４】
また本第３の実施形態における画像変換選択回路３１１は、前記カウンタ数の情報に応じて、カラーマトリックス変換処理回路３３における「画像変換処理有り画像信号」と、スルー回路７０における「画像変換処理無し画像信号」との割合を調整して時分割処理を行うようになっている。
【０１２５】
その他の構成、作用効果については第１の実施形態と同様であるのでここでの説明は省略する。
【０１２６】
なお、本実施形態においても第１の実施形態と同様に、画像変換回路３０における処理内容は、専用の機能を有するハードウェアとして構成されるが、第１の実施形態における第３変形例と同様に、画像変換回路３０を、例えばＦＰＧＡ（Field Programmable Gate Array ）等のＰＬＤ（Programmable Logic Device；プログラマブルロジックデバイス）により構成し、当該処理機能の内容を変更できるようにしてもよい。
【０１２７】
また、第１の実施形態における第４変形例と同様に、画像変換回路３０の処理機能の内容を、例えば、制御部３０９に接続された記憶部３０８に記憶し、当該記憶された内容に即して処理機能を設定するようにしてもよい。
【０１２８】
以上説明したように、本第３の実施形態においても、画像処理部３０２に画像変換選択回路３１１を設け、画像変換処理を施さずスルーした「画像変換処理無し画像信号；第１の信号」と、所定の画像変換処理を施した「画像変換処理有り画像信号；第２の信号」とを調整可能な所定の割合で選択的に出力することで、出力信号に通常色画像信号が一定の割合で含まれるため、強調の度合いを適切に調整することができ、元の被写体画像に対して着目部位が識別しやすくなるという効果を奏する。
【０１２９】
＜第４の実施形態＞
次に、本発明の第４の実施形態について説明する。  
図１０は、本発明の第４の実施の形態にかかる内視鏡システムにおける画像変換選択回路において画像変換回路の具体例を示した図である。
【０１３０】
本第４の実施形態の内視鏡システムは、その基本的な構成は第１の実施形態と同様であり、ビデオプロセッサ３の画像変換選択回路３１１における画像変換回路３０の画像変換作用のみを異にするものである。したがって、ここでは第１の実施形態との差異のみの説明にとどめ、共通する部分の説明については省略する。
【０１３１】
図１０に示すように、第４の実施形態の内視鏡システムにおいては、画像変換選択回路３１１の画像変換回路３０は、特定パターン強調処理回路３４として構成される。
【０１３２】
特定パターン強調処理回路３４は、ビデオプロセッサ３における前記γ補正部３０２ｄからの動画像信号である画像信号を入力し、当該動画像信号の１枚の画像全体の信号に対して所定の強調変換処理を施すものである。
【０１３３】
すなわちこの特定パターン強調処理は、被写体画像のある特定パターンに対して強調変換処理を施すものであり、強調の度合いが適切である場合、当該パターンが認識しやすくなるという特有の効果を奏するが、強調の度合いが過度になった場合、元の被写体画像の情報が失われ、かえって当該パターンが認識困難になるという不具合が生じる虞がある。
【０１３４】
係る事情に鑑み本第４の実施形態においても、第１の実施形態と同様に選択回路７１は、前記変換適用選択カウンタ７２からのカウンタ数の情報に応じて、スルー回路７０と画像変換回路３０（特定パターン強調処理回路３４）との出力信号を選択して後段に出力する。
【０１３５】
すなわち、本第４の実施形態における画像変換選択回路３１１は、特定パターン強調処理回路３４における特定パターン強調処理（画像変換処理）を、第１の実施形態と同様に、前記カウンタ数の情報に応じて時分割により行うことを特徴とする。
【０１３６】
また本第４の実施形態における画像変換選択回路３１１は、前記カウンタ数の情報に応じて、特定パターン強調処理回路３４における「画像変換処理有り画像信号」と、スルー回路７０における「画像変換処理無し画像信号」との割合を調整して時分割処理を行うようになっている。
【０１３７】
その他の構成、作用効果については第１の実施形態と同様であるのでここでの説明は省略する。
【０１３８】
なお、本実施形態においても第１の実施形態と同様に、画像変換回路３０における処理内容は、専用の機能を有するハードウェアとして構成されるが、第１の実施形態における第３変形例と同様に、画像変換回路３０を、例えばＦＰＧＡ（Field Programmable Gate Array ）等のＰＬＤ（Programmable Logic Device；プログラマブルロジックデバイス）により構成し、当該処理機能の内容を変更できるようにしてもよい。
【０１３９】
また、第１の実施形態における第４変形例と同様に、画像変換回路３０の処理機能の内容を、例えば、制御部３０９に接続された記憶部３０８に記憶し、当該記憶された内容に即して処理機能を設定するようにしてもよい。
【０１４０】
以上説明したように、本第４の実施形態においても、画像処理部３０２に画像変換選択回路３１１を設け、画像変換処理を施さずスルーした「画像変換処理無し画像信号；第１の信号」と、所定の画像変換処理を施した「画像変換処理有り画像信号；第２の信号」とを調整可能な所定の割合で選択的に出力することで、出力信号に元の被写体画像信号が一定の割合で含まれるため、強調の度合いを適切に調整することができ、元の被写体画像の情報を残しつつ特定パターンを強調することができるという効果を奏する。
【０１４１】
＜第５の実施形態＞
次に、本発明の第５の実施形態について説明する。  
図１１は、本発明の第５の実施の形態にかかる内視鏡システムの要部の機能構成を示すブロック図であり、図１２は、第５の実施の形態にかかる内視鏡システムのビデオプロセッサにおける画像変換選択回路の構成を示したブロック図である。
【０１４２】
なお、本第５の実施形態の内視鏡システムは、その基本的な構成は第１の実施形態と同様であり、ここでは第１の実施形態との差異のみの説明にとどめ、共通する部分の説明については省略する。
【０１４３】
上述した第１の実施形態の内視鏡システムにおいて、内視鏡２における撮像素子２４４はいわゆるプログレッシブ走査方式を採用し、ビデオプロセッサ３もプログレッシブ走査に対応した処理を行うようになっている（図２参照）。
【０１４４】
これに伴い第１の実施形態においては、ビデオプロセッサ３における画像処理部３０２内の前記変換適用選択カウンタ７２は、画像変換選択回路３１１が入力する画像信号のフレーム数をカウントするカウンタであって、制御部３０９の制御の下、カウンタ数の情報を選択回路７１に伝達するようになっている（図３参照）。
【０１４５】
さらに、第１の実施形態において前記画像変換回路３０は、γ補正部３０２ｄからの動画像信号である画像信号を入力し、当該動画像信号の各画素に対応する信号に対してフレーム単位で所定の画像変換を施すようになっている。
【０１４６】
これに対して本第５の実施形態の内視鏡システムは、いわゆるインターレース走査方式を採用した内視鏡１０２を備え、ビデオプロセッサ１０３もインターレース走査に対応する処理を行うようになっている（図１１参照）。
【０１４７】
図１１に示すように、本第５の実施形態においてビデオプロセッサ１０３は、前記画像処理部３０２と同様の画像処理を行う画像処理部３１３を備え、また、当該画像処理部３１３は、前記画像変換選択回路３１１と同様の構成をなす画像変換選択回路３１２を備える。
【０１４８】
また、図１２に示すように、本第５の実施形態において画像変換選択回路３１２は、γ補正部３０２ｄから出力されるインターレース画像信号を入力し画像変換はせずにスルーして出力するスルー回路１７０と、同じく前記γ補正部３０２ｄから出力される画像信号を入力し当該画像信号に対してフィールド単位で所定の画像変換作用を施して出力する画像変換回路１３０と、前記画像変換回路１３０における画像変換作用を時分割で適用するための変換適用選択カウンタ１７２と、前記スルー回路１７０および前記画像変換回路１３０の出力を入力し、前記変換適用選択カウンタ１７２からの情報を受けて前記スルー回路７０と前記画像変換回路１３０との出力信号を選択的に出力する選択回路１７１と、を備える。
【０１４９】
スルー回路１７０は、第１の実施形態と同様に、γ補正部３０２ｄから出力される画像信号を入力するが、入力したインターレース動画像信号に対しては画像変換回路３０と遅延量を合わせるのみで特に画像変換はせずにスルーして後段の選択回路１７１に出力する。
【０１５０】
画像変換回路１３０は、γ補正部３０２ｄからのインターレース走査による動画像信号である画像信号を入力し、当該インターレース動画像信号をフィールド単位で所定の画像変換を施すようになっている。
【０１５１】
なお画像変換回路１３０は、第１〜第４の実施形態におけるメディアン処理ｏｒ平均値処理回路、エッジ強調処理回路、カラーマトリックス変換処理回路、特定パターン強調処理回路等として構成される。
【０１５２】
変換適用選択カウンタ１７２は、本第５の実施形態においては、画像変換選択回路３１２が入力するインターレース動画像信号のフィールド数をカウントするカウンタであり、制御部３０９の制御の下、フィールド数の情報を選択回路１７１に伝達するようになっている。
【０１５３】
選択回路１７１は、制御部３０９の制御下に、前記変換適用選択カウンタ１７２からのカウンタ数の情報に応じて、スルー回路１７０と画像変換回路１３０とのそれぞれの出力信号を選択にして後段に出力する。
【０１５４】
より具体的前記選択回路１７１は、スルー回路１７０からのフィールド単位における「画像変換処理無し画像信号；第１の信号」と、画像変換回路１３０からのフィールド単位における「画像変換処理有り画像信号；第２の信号」とを、前記カウンタ数の情報（フィールド単位に係る情報）に応じて選択し、２フィールドで１フレームを構成して後段に向けて出力する。
【０１５５】
また、前記選択回路１７１は、第１の実施形態と同様に、例えば入力部３０７からの指示に応じて、制御部３０９の制御下に、前記「画像変換処理無し画像信号」と前記「画像変換処理有り画像信号」との選択的出力の割合を調整することができるようになっている。
【０１５６】
すなわち、本第５の実施形態においても画像変換選択回路３１２は、画像変換回路１３０における画像変換処理を、前記カウンタ数の情報（フィールド単位に係る情報）に応じて時分割により行うことができ、その時分割の割合を調整することで画像変換処理の効果を調整することができる。
【０１５７】
次に、第５の実施形態における前記画像変換選択回路３１２の作用について説明する。
図１３、図１４、図１５は、動画像信号をフィールド単位で画像変換を施す場合における変換適用選択カウンタ１７２と画像変換選択回路３１２からの出力画像との関係例を示したタイミングチャートであって、図１３は、画像変換回路１３０における「画像変換処理有り画像信号」とスルー回路１７０における「画像変換処理無し画像信号」との割合が１：１の例を、図１４は、同割合が１：２の例を、図１５は、同割合が２：１の例をそれぞれ示したものである。
【０１５８】
たとえば、図１３に示すように、入力部３０７において「画像変換処理有り画像信号」と「画像変換処理無し画像信号」との割合を１：１に設定した場合、選択回路１７１は、制御部３０９の制御下に変換適用選択カウンタ１７２からのカウンタ数の情報を受けて画像変換回路１３０において画像変換処理された画像信号（画像変換処理有り信号）と、スルー回路１７０においてスルーされた画像信号（画像変換処理無し信号）とを１：１の割合になるよう選択的に出力する。
【０１５９】
ここで、「画像変換処理有り画像信号」と「画像変換処理無し画像信号」との割合を１：１に設定した場合、選択回路１７１は、図１３に示すように、変換適用選択カウンタ１７２におけるカウンタが“０”および“３”の場合はスルー回路１７０の出力を選択する。すなわち画像変換処理を行わない１フィールド分の画像信号を選択して出力する。
【０１６０】
一方、選択回路１７１は、変換適用選択カウンタ１７２におけるカウンタが“１”および“２”の場合には画像変換回路１３０の出力を選択する。すなわち画像変換処理を行った１フィールド分の画像信号を選択して出力する。そして、いずれも２フィールドで１フレームを構成して出力するようになっている。
【０１６１】
また、「画像変換処理有り画像信号」と「画像変換処理無し画像信号」との割合を１：２に設定した場合、選択回路１７１は、図１４に示すように、変換適用選択カウンタ１７２におけるカウンタが“０”、“３”、“４”および“５”の場合にはスルー回路１７０の出力を選択する。すなわち画像変換処理を行わない１フィールド分の画像信号を選択して出力する。
【０１６２】
一方、選択回路１７１は、変換適用選択カウンタ１７２におけるカウンタが“１”および“２”の場合には画像変換回路１３０の出力を選択する。すなわち画像変換処理を行った１フィールド分の画像信号を選択して出力する。そして、上記同様に、いずれも２フィールドで１フレームを構成して出力するようになっている。
【０１６３】
さらに、「画像変換処理有り画像信号」と「画像変換処理無し画像信号」との割合を２：１に設定した場合、選択回路１７１は、図１５に示すように、変換適用選択カウンタ１７２におけるカウンタが“０”および“３”の場合にはスルー回路１７０の出力を選択する。すなわち画像変換処理を行わない１フィールド分の画像信号を選択して出力する。
【０１６４】
一方、選択回路１７１は、変換適用選択カウンタ１７２におけるカウンタが“１”、“２”、“４”および“５”の場合には画像変換回路１３０の出力を選択する。すなわち画像変換処理を行った１フィールド分の画像信号を選択して出力する。そして、上記同様に、いずれも２フィールドで１フレームを構成して出力するようになっている。
【０１６５】
以上説明したように、本第５の実施形態においても、画像処理部３１３に画像変換選択回路３１２を設け、画像変換処理を施さずフィールド単位でスルーした「画像変換処理無し画像信号；第１の信号」と、フィールド単位で所定の画像変換処理を施した「画像変換処理有り画像信号；第２の信号」とを調整可能な所定の割合で選択的に出力することで、解像度劣化の影響を抑えつつ画像変換処理の効果を得ることができる。
【０１６６】
なお、上述した実施の形態では、ビデオプロセッサとして同時式を採用する構成を例に説明したが、本発明は面順次方式を採用した構成例に対しても適用することができる。
【０１６７】
さらに、上述した画像変換選択回路３１１に係る機能は、上述した実施形態においてはビデオプロセッサ３に設けるものとしたがこれに限定されることなく、例えば内視鏡２における撮像素子２４４、操作部２２またはコネクタ部２７に設ける構成も本発明に含まれる。
【０１６８】
さらに、上述した実施の形態では、本発明の実施形態として内視鏡システムの構成を例に挙げたが、本発明はこれに限らず、本発明は画像処理機能と有する他の撮像システムに対しても適用することができる。
【０１６９】
本発明は、上述した実施形態に限定されるものではなく、本発明の要旨を変えない範囲において、種々の変更、改変等が可能である。
【符号の説明】
【０１７０】
１：内視鏡システム
２：内視鏡
２２：操作部
２７：コネクタ部
２４４：撮像素子
３：ビデオプロセッサ
３０２：画像処理部
３０９：制御部
３１１：画像変換選択回路
３０：画像変換回路
３１：メディアン処理ｏｒ平均値処理回路
３２：エッジ強調処理回路
３３：カラーマトリックス変換処理回路
３４：特定パターン強調処理回路
７０：スルー回路
７１：選択回路
７２：変換適用選択カウンタ
４：光源装置
５：表示装置
【図１】
0006489644.tif 000002
【図２】
0006489644.tif 000003
【図３】
0006489644.tif 000004
【図４】
0006489644.tif 000005
【図５】
0006489644.tif 000006
【図６】
0006489644.tif 000007
【図７】
0006489644.tif 000008
【図８】
0006489644.tif 000009
【図９】
0006489644.tif 000010
【図１０】
0006489644.tif 000011
【図１１】
0006489644.tif 000012
【図１２】
0006489644.tif 000013
【図１３】
0006489644.tif 000014
【図１４】
0006489644.tif 000015
【図１５】
0006489644.tif 000016